(57)【特許請求の範囲】
【請求項１】
屋外床と外壁とにより形成される壁際部分に竪樋を貫通状に備えると共に、前記屋外床を覆う防水シートの端部の固着代となる防水シート固着ライナーを前記壁際部分に備える屋外の床構造にあって、前記竪樋が貫通する位置に前記防水シート固着ライナーに代えて設けられて前記竪樋周り及び前記竪樋近傍の壁際部分を覆う防水シートの端部の固着代となる竪樋用ドレーンであって、
前記屋外床の上面に当接して前記竪樋の貫通する周縁部から前記壁際部分を形成する屋外床の上面までを覆って前記防水シートの固着代となる平板状のベース部と、該ベース部の端部から略垂直に立ち上がって前記外壁に沿って前記防水シートの固着代となる垂直部と、前記ベース部に取り付けられて貫通する中空の筒状体とを有することを特徴とする竪樋用ドレーン。
【請求項２】
屋外床と外壁とにより形成されて前記屋外床を覆う防水シートの端部を立ち上げて設けるための壁際部分と、該壁際部分に貫通状に設けられる竪樋とを備え、前記壁際部分には、前記屋外床を覆う防水シートの端部の固着代となる防水シート固着ライナーが設けられると共に、前記竪樋が貫通する位置に前記防水シート固着ライナーに代えて竪樋用ドレーンが設けられている屋外の床構造において、
前記竪樋用ドレーンは、前記屋外床の上面に当接した状態で前記竪樋の貫通する周縁部から前記壁際部分を形成する屋外床の上面までを覆って前記防水シートの固着代となる平板状のベース部と、該ベース部の端部から略垂直に立ち上がって前記外壁に沿って前記防水シートの端部の固着代となる垂直部と、前記ベース部に取り付けられて貫通する中空の筒状体とを有することを特徴とする屋外の床構造。
【発明の詳細な説明】
【０００１】
【発明の属する技術分野】
この発明は、例えばベランダやバルコニー等のように、建物の外壁から屋外側に突出する屋外床の壁際部分に取り付けられる竪樋用ドレーンおよび床構造に関する。
【０００２】
【従来の技術】
一般に、ベランダやバルコニー等のように、建物の外壁から突出する屋外の床を防水する方法として、例えば図４と図５に図示にするように、床スラブ（躯体）２０として敷設された床板の上に防水下地材２１としてモルタルを所定の厚さに塗着し、この防水下地材２１の上に高分子シート等からなる防水シート２２を敷設する方法が知られている。
【０００３】
その際特に、防水シート２２の外壁２３側の端部２２ａは、防水下地材２１の壁際部分ａに添え付けられ、かつ外壁２３の壁面に沿って所定の高さまで立ち上げられている。
【０００４】
なお、ここで壁際部分ａとは、床面としての防水下地材２１の上面と外壁２３の壁面の二つの面で形成される入隅部をいう。壁際部分ａには、防水シート２２の端部２２ａを固着するための防水シート固着ライナー（以下「ライナー」という）２４が取り付けられ、かつこれよりやや上方の壁面部に防水シート２２の立ち上がり上端部を固着するための凹溝２３ａが水平方向に連続して形成されている。
【０００５】
そして、防水シート２２の端部２２ａはライナー２４の上に接着剤で接着され、かつその立ち上がり上端部が凹溝２３ａに埋め込まれて固着されている。また、ベランダやバルコニー等（以下「ベランダ」という）の床には、外壁２３の壁面に沿って屋根から地上に連続して設置されている竪樋２６が貫通していることが多い。
【０００６】
その際、ベランダの床に中継ぎドレーン２７が取り付けられ、地上からベランダの床下まで立ち上がる竪樋２６と屋根からベランダの床まで垂下する竪樋２６は、中継ぎドレーン２７の下端側と上端側にそれぞれ接続されることで、中継ぎドレーン２７を介して一本に連続している。
【０００７】
そして、ベランダの床の壁際部分ａには、上述したようなライナー２４が取り付けられていることから、中継ぎドレーン２７は外壁２３からある程度離して取り付けられている。
【０００８】
これに伴って、防水シート２２をライナー２４と中継ぎドレーン２７に十分に接着させるための接着代を双方に必要なことから、竪樋２６もべランダの床部分では外壁２３からある程度離して取り付けられている。
【０００９】
【発明が解決しようとする課題】
このため、竪樋２６がベランダの内側寄りに突出することとなって、ベランダが使いにくくなる等の課題があった。
【００１０】
また、外壁２３の壁面に沿わせて設置されている竪樋２６では、ベランダ部分では壁面から離す必要があるため、ベランダ部分の竪樋には特別な形状のものを使用する必要があり、竪樋２６の製作および取り付けが面倒になる等の課題もあった。
【００１１】
この発明は、以上の課題を解決するためになされたもので、特にベランダ部分においても、竪樋を屋外床の壁際に簡単に設置できるようにした竪樋用ドレーンおよび床構造を提供することを目的とする。
【００１２】
【課題を解決するための手段】
以上の課題を解決するための手段として、この発明に係る竪樋用ドレーンは、屋外床と外壁とにより形成される壁際部分に竪樋を貫通状に備えると共に、前記屋外床を覆う防水シートの端部の固着代となる防水シート固着ライナーを前記壁際部分に備える屋外の床構造にあって、前記竪樋が貫通する位置に前記防水シート固着ライナーに代えて設けられて前記竪樋周り及び前記竪樋近傍の壁際部分を覆う防水シートの端部の固着代となる竪樋用ドレーンであって、前記屋外床の上面に当接して前記竪樋の貫通する周縁部から前記壁際部分を形成する屋外床の上面までを覆って前記防水シートの固着代となる平板状のベース部と、該ベース部の端部から略垂直に立ち上がって前記外壁に沿って前記防水シートの固着代となる垂直部と、前記ベース部に取り付けられて貫通する中空の筒状体とを有する。
【００１３】
また、この発明に係る屋外の床構造は、屋外床と外壁とにより形成されて前記屋外床を覆う防水シートの端部を立ち上げて設けるための壁際部分と、該壁際部分に貫通状に設けられる竪樋とを備え、前記壁際部分には、前記屋外床を覆う防水シートの端部の固着代となる防水シート固着ライナーが設けられると共に、前記竪樋が貫通する位置に前記防水シート固着ライナーに代えて竪樋用ドレーンが設けられている屋外の床構造において、前記竪樋用ドレーンは、前記屋外床の上面に当接した状態で前記竪樋の貫通する周縁部から前記壁際部分を形成する屋外床の上面までを覆って前記防水シートの固着代となる平板状のベース部と、該ベース部の端部から略垂直に立ち上がって前記外壁に沿って前記防水シートの端部の固着代となる垂直部と、前記ベース部に取り付けられて貫通する中空の筒状体とを有する。
【００１４】
【発明の実施の形態】
図１〜図３は、建物の外壁から屋外の床として突設されたベランダの床の構造を示し、図において、Ｈ形鋼などの形鋼からなるはり１の上にＡＬＣ板などのＰＣ板などからなる床板２が設置され、その上に防水下地材３として発泡樹脂板などが設置されいる。符号４は防水下地材３と防水シート５との間に敷設された不燃板である。
【００１５】
また壁際部分ａには、後述する防水シート５の外壁６側の端部５ａを固着するためのライナー７が取り付けられ、かつこれよりやや上方の壁面には防水シート５の立ち上がり上端部を固着するための凹溝６ａが水平方向に連続して形成されている。なお、符号４は防水下地材３と防水シート５との間に敷設された不燃板である。
【００１６】
こうして形成されたベランダの床の上に、防水シート５として高分子シートが敷設されている。なお、防水シート５の上には防水シート保護材８が敷設されることもある。
【００１７】
また特に、防水シート５の端部５ａはライナー７の上に添え付けられ、かつ外壁６の壁面に沿って所定の高さまで立ち上げられている。そして、防水シート５の端部５ａがライナー７の上に接着剤で接着されているか、または加熱して溶融接着され、さらに立ち上がり上端部５ｂが凹溝６ａに埋め込まれて固着されている。
【００１８】
ライナー７は、防水下地材３の上面に沿って水平に突出する平板状の水平部７ａと、この水平部７ａの端辺から外壁６下端の壁面に沿って略垂直に立ち上がる垂直部７ｂとから断面略山形状に形成されている。また、水平部７ａと垂直部７ｂの両方にビス孔７ｃがそれぞれ所定間隔に形成されている。
【００１９】
こうして形成されたライナー７は、床板２の上に防水下地材３の上から水平部７ａのビス孔７ｃを貫通する複数のビス９によって、また外壁６に垂直部７ｂのビス孔７ｃを貫通する複数のビス９によってそれぞれビス止めすることにより壁際部分ａに取り付けられている。
【００２０】
また、竪樋１０が貫通する位置には、ライナー７の代わりに竪樋用ドレーンとして中継ぎドレーン１１が取り付けられている。中継ぎドレーン１１は、防水下地材３の上面に当接する平板状のベース部１１ａと、このベース部１１ａの端辺から外壁６下端の壁面に沿って略垂直に立ち上がる垂直部１１ｂと、ベース部１１ａの中央に取り付けられ、竪樋１０が接続される貫通した筒状体１１ｃとを有して形成されている。さらに、ベース部１１ａと垂直部１１ｂの双方にビス孔１１ｄが複数形成されている。
【００２１】
こうして形成された中継ぎドレーン１１は、床板２の上に防水下地材３の上からベース部１１ａのビス孔１１ｄを貫通する複数のビス９によって、外壁６の下部に垂直部１１ｂのビス孔１１ｄを貫通する複数のビス９によってそれぞれビス止めすることにより壁際部分ａのライナー７，７間に取り付けられている。
【００２２】
そして、ベース部１１ａと垂直部１１ｂの上に防水シート５の端部５ａが接着剤で接着されているか、または加熱して溶融接着され、かつ端部５ａの立ち上り上端部５ｂが凹溝６ａに埋め込まれて固着されている。
【００２３】
また、筒状体１１ｃの下端側と上端側に地上からベランダの床下まで立ち上がる竪樋１０と屋根からベランダの床まで垂下する竪樋１０がそれぞれ接続されている。そして、筒状体１１の中心と上、下端の竪樋１０の中心は一致し、上から下まで直線状になっている。
【００２４】
なお、ライナー７と中継ぎドレーン１１はともに硬質塩化ビニール、または金属板の表面を硬質塩化ビニールで被覆したもの等で形成され、特にライナー７と中継ぎドレーン１１が硬質塩化ビニール製の場合には、防水シート５には接着しやすい素材で形成されたものが使用されている。
【００２５】
【発明の効果】
この発明は以上説明した通りであり、特に竪樋が貫通する屋外床の壁際部分には、防水シートの端部を固着するライナーの代わりに従来のライナーと中継ぎドレーンが一体化された竪樋用ドレーン（中継ぎドレーン）を取り付け、この竪樋用ドレーンに竪樋を接続した構造になっており、また竪樋用ドレーンは、床面に当接するベース部と外壁に沿って立ち上がる垂直部とを有し、このベース部と垂直部に防水シートの端部を付着する構造になっているので、竪樋が貫通する部分に特にライナーがなくてもこの部分の防水シートの端部を確実に固着でき、またこうすることで竪樋周囲の納まりを簡単な納まりとすることができるので、筒状体の中心と外壁面との間隔を小さくすることができる。
【００２６】
従って、ライナーを避けるためにベランダ部分の竪樋として特別な形状のものを設置する必要がなく、竪樋の全長にわたって直線状のものを使用できるため、竪樋の製作および取り付けを容易に行うことができる。
【００２７】
また、ベランダの床部分においても、直線状の竪樋を壁面に沿わせて設置できることから、竪樋が邪魔になってベランダが使いにくくなる等の問題もなくなる。
【００２８】
さらに、ベース部を発泡樹脂板の下地材を介して床にビス止めできることで、竪樋用ドレーンを防水下地材の上に直接取り付けることができる。
【図面の簡単な説明】
【図１】中継ぎドレーンおよび床構造を示すベランダの床の縦断面図である。
【図２】（ａ）は中継ぎドレーンの取付状態を示す斜視図、（ｂ）は中継ぎドレーンおよびライナーの一部斜視図である。
【図３】中継ぎドレーンおよび床構造を示し、（ａ）はその一部縦断面図、（ｂ）は平面図である。
【図４】従来のベランダの床の構造の一例を示す縦断面図である。
【図５】従来の中継ぎドレーンの取付状態を示す斜視図である。
【符号の説明】
ａ  壁際部分（床面と外壁面との二つの面で形成される入隅部）
１  はり
２  床板
３  防水下地材
４  不燃板
５  防水シート
５ａ  防水シートの外壁側の端部（防水シートの端部）
５ｂ  防水シートの立ち上がり上端部
６  外壁
６ａ  凹溝
７  防水シート固着ライナー（ライナー）
７ａ  水平部
７ｂ  垂直部
７ｃ  ビス孔
８  防水シート保護材
９  ビス
１０  竪樋
１１  中継ぎドレーン（竪樋用ドレーン）
11ａ  ベース部
11ｂ  垂直部
11ｃ  筒状体
11ｄ  ビス孔
【図１】
0004236343.tif 000002
【図２】
0004236343.tif 000003
【図３】
0004236343.tif 000004
【図４】
0004236343.tif 000005
【図５】
0004236343.tif 000006